(57)【要約】【課題】誤って機器本体を水中に落しても沈むことなく防水性を確保する。【解決手段】防水構造の機器本体１を備えた電子機器において、本体ケース２の下部側６を船底形状に形成し、本体ケース２の上部側７をその下部側６よりも外周側に突出する平板形状に形成し、本体ケース２の内部に機器本体１が水面に浮かぶ程度の空間部８を形成した。従って、誤って機器本体１を浴槽などの水中に落しても、本体ケース２内の空間部８によって機器本体１を水面に浮かせることができる。この場合、本体ケース２の下部側６が水面下に位置し、本体ケース２の上部側７が水面上に位置しやすくなり、この状態で機器本体１を安定させて水面に浮かせることができる。このため、機器本体１に加わる水圧を大幅に軽減することができるので、水密性の高い高圧防水構造を採用しなくても、簡易型の防水構造で十分な防水性を確保できる。【選択図】　　　　図８
2004087995.tif 000002
【特許請求の範囲】
【請求項１】
防水構造の機器本体を備えた電子機器において、
前記機器本体の下部側を船底形状に形成すると共に、前記機器本体の上部側を前記機器本体の下部側よりも外周側に突出する平板形状に形成し、前記機器本体の内部に前記機器本体が水面に浮かぶ程度の空間部を形成したことを特徴する電子機器。
【請求項２】
前記機器本体の船底形状の下部側に位置する底部には、錘が設けられていることを特徴する請求項１に記載の電子機器。
【請求項３】
前記機器本体の上部側における前記機器本体の下部側よりも外周側に突出した外周部には、前記機器本体の下側に向けて開放された凹部が設けられていることを特徴する請求項１または２に記載の電子機器。
【請求項４】
前記機器本体は、上側部材と下側部材とを備え、前記機器本体が水面に浮いた状態のときに、前記上側部材と前記下側部材との接合部分が水面よりも上に位置することを特徴する請求項１〜３のいずれかに記載の電子機器。
【発明の詳細な説明】
【０００１】
【発明の属する技術分野】
この発明は、リモートコントローラなどの電子機器に関する。
【０００２】
【従来の技術】
例えば、テレビなどの機器を離れた場所から遠隔操作して動かすリモートコントローラにおいては、ほぼ長方形の平板状に形成された機器本体を備え、この機器本体の上面に操作部を設け、機器本体の内部に赤外線発光部や電池などの各種の部品を収納し、操作部を操作して赤外線発光部の発光を制御して赤外線信号をテレビなどの機器に与えることにより、機器の電源のオン−オフやチャンネルの切り換えなどの動きを制御するように構成されている。
このようなリモートコントローラは、通常は室内で使用するため、防水構造を採用する必要はないが、テレビなどの機器を浴室に配置して浴室内で使用する場合には、機器本体や操作部、電池蓋などの各接合部分から水が浸入するのを防ぐために、接着剤などのシール材で防水性を図る必要がある。
【０００３】
【発明が解決しようとする課題】
しかしながら、このようなリモートコントローラでは、機器本体や操作部、電池蓋などの各接合部分を接着剤などのシール材で簡単に防水性を図った簡易型の防水構造であると、浴室内で水や湯が降りかかる程度の防水性は確保できても、誤って機器本体を浴槽内に落したときに、機器本体が浴槽の底に沈んでしまうと、機器本体に水圧が大きく加わるため、水が浸入しやすくなり、十分な防水性を確保することができないという問題がある。
【０００４】
この発明の課題は、機器本体を誤って水中に落しても沈むことがなく、簡易型の防水構造であっても十分な防水性を確保できるようにすることである。
【０００５】
【課題を解決するための手段】
この発明は、上記課題を解決するために、次のような構成要素を備えている。なお、各構成要素には、後述する実施形態の項で説明される各要素に付されている図面の参照番号などを括弧と共に付す。
請求項１に記載の発明は、図１〜図１１に示すように、防水構造の機器本体（１）を備えた電子機器において、前記機器本体の下部側（６）を船底形状に形成すると共に、前記機器本体の上部側（７）を前記機器本体の下部側よりも外周側に突出する平板形状に形成し、前記機器本体の内部に前記機器本体が水面に浮かぶ程度の空間部（８）を形成したことを特徴する電子機器である。
【０００６】
この発明によれば、機器本体の内部にその機器本体が水面に浮かぶ程度の空間部を形成したので、誤って機器本体を浴槽などの水中に落しても、機器本体が水中に沈むことがなく、機器本体を水面に浮かせることができ、しかも機器本体の下部側が船底形状に形成され、機器本体の上部側が機器本体の下部側よりも外周側に突出する平板形状に形成されているので、機器本体の下部側が水面下に位置して機器本体の上部側が水面上に位置しやすくなり、この状態で安定させて水面に浮かせることができ、このため機器本体に加わる水圧を大幅に軽減することができるので、水密性の高い高圧防水構造を採用しなくても、簡易型の防水構造で十分な防水性を確保することができる。
【０００７】
請求項２に記載の発明は、図１〜図１１に示すように、前記機器本体（１）の船底形状の下部側（６）に位置する底部に、錘（１５）が設けられていることを特徴する請求項１に記載の電子機器である。
この発明によれば、機器本体をどのような状態で浴槽などの水中に落しても、機器本体の底部に設けられた錘によって、確実に機器本体の底部を水面下に位置させると共に機器本体の上部側を水面上に位置させることができ、この状態で機器本体を水面に安定させて浮かせることができる。このため、例えば機器本体の上面に操作部を設ければ、機器本体を水面に浮かせた状態で、機器本体の上面が確実に水面上に露出するので、操作部を良好に操作することができる。
【０００８】
請求項３に記載の発明は、図１〜図１１に示すように、前記機器本体（１）の上部側（７）における前記機器本体の下部側（６）よりも外周側に突出した外周部に、前記機器本体の下側に向けて開放された凹部（９、２６）が設けられていることを特徴する請求項１または２に記載の電子機器である。
この発明によれば、機器本体の底部が水面下に位置して機器本体の上部側が水面上に位置した状態で機器本体が水面に浮いたときに、機器本体の上部側における外周部に設けられた凹部が空気溜りになり、この凹部内に溜った空気によって機器本体に浮力を与えることができ、このため、より一層、機器本体を水面上に浮かさせることができる。
【０００９】
請求項４に記載の発明は、図１〜図１１に示すように、前記機器本体（１）が、上側部材（操作部３）と下側部材（本体ケース２）とを備え、前記機器本体が水面に浮いた状態のときに、前記上側部材と前記下側部材との接合部分が水面よりも上に位置することを特徴する請求項１〜３のいずれかに記載の電子機器である。
この発明によれば、機器本体が水面に浮いた状態のときに、機器本体の上側部材と下側部材との接合部分が水面よりも上に位置するので、機器本体の上側部材と下側部材との接合部分から水が浸入するのを容易に防ぐことができ、これにより上側部材と下側部材との接合部分を高圧防水構造にしなくても、簡易型の防水構造で十分に防水性を確保することができる。
【００１０】
【発明の実施の形態】
以下、図１〜図８を参照して、この発明をリモートコントローラに適用した一実施形態について説明する。
図１はこの発明のリモートコントローラの平面図、図２はその手前側から見た側面図、図３は図２の右側面図、図４はその左側面図、図５は図２の底面図、図６は図１のＡ−Ａ矢視における拡大断面図、図７は図１のＢ−Ｂ矢視における拡大断面図、図８は図２の機器本体が水面に浮いた状態を示した断面図である。
このリモートコントローラは、図１〜図８に示すように、機器本体１を備えている。この機器本体１は、図１に示すように、本体ケース２の上面に操作部３が設けられ、図５に示すように、下面に電池蓋４が着脱可能に取り付けられ、図６に示すように、本体ケース２の内部における左側に赤外線発光部５が設けられた構造になっている。
【００１１】
本体ケース２は、図１〜図８に示すように、全体がほぼ長方形の平板状で、上面側が開放された箱型に形成され、この開放された上面に操作部３が本体ケース２の内部を密封した状態で設けられた構造になっている。この場合、本体ケース２の下部側６は下部方向に膨らんだ船底形状に形成されており、本体ケース２の上部側７は下部側６よりも外周側に向けて鍔状に突出する平板形状に形成されている。この本体ケース２の内部には、図６〜図８に示すように、機器本体１を水面に浮かせる程度の空間部８が形成されている。また、本体ケース２の上部側７における本体ケース２の下部側６よりも外周側に向けて鍔状に突出した外周部の下面には、図５〜図８に示すように、本体ケース２の下側に向けて開放された空気溜め用の凹部９が赤外線発光部５側の側部を除いて本体ケース２の周囲に沿って連続して設けられている。
【００１２】
この場合、本体ケース２の内部における右側部分には、図６に示すように、電池１０を収納する電池収納部１１が上下に開放されて形成されており、この電池収納部１１の下部には、防水リング１２を介して電池蓋４が取り付けられている。すなわち、この電池蓋４は、その下面に設けられた凹部４ａにドライバーやコインなどの工具を差し込んで所定角度、例えば９０°回転させると、電池蓋４のフック部４ｂが電池収納部１１の係止部１１ａに係脱可能に係合し、これにより電池蓋４が防水リング１２を押え付けて防水性を確保した状態で、電池収納部１１に着脱可能に取り付けられるように構成されている。
【００１３】
また、この本体ケース２の内部における左端部には、赤外線発光部５の素子カバー１３が設けられている。この素子カバー１３は、少なくとも赤外線領域の光を透過する光透過性樹脂からなり、本体ケース２の左側面に設けられた開口部２ａに接着剤などのシール材（図示せず）によって水密性を確保した状態で嵌合され、その内部に赤外線発光素子１４が収納されるように構成されている。
また、本体ケース２内の底部におけるほぼ中央部分には、錘１５が設けられている。この錘１５は、機器本体１の重心を機器本体１の中心に位置させた上、機器本体１の中心よりも低い位置に下げるためのものである。さらに、この本体ケース２内の所定個所には、補強リブ１６および取付ボス１７が設けられている。
【００１４】
一方、操作部３は、図１に示すように、多数のキー釦１８を配列したものであり、図６に示すように、キーシート１９と回路基板２０とを備え、キーシート１９が回路基板２０上に両面接着テープ２１によって接着されていると共に、本体ケース２の外周部の上面にも接着された構造になっている。この場合、キーシート１９は、ゴムなどの可撓性を有する材料からなり、各キー釦１８に対応する個所にドーム状の膨出部１９ａがそれぞれ形成されている。回路基板２０は、その下面に電池１０および赤外線発光素子１４が電気的に接続されていると共に、リモートコントロールに必要な各種の電子部品（図示せず）が設けられ、図６に示すように、本体ケース２の補強リブ１６および取付ボス１７上に取り付けられて本体ケース２の上面側に配置されている。
【００１５】
この回路基板２０の上面には、各キー釦１８に対応する個所に固定接点（図示せず）がそれぞれ設けられていると共に、両面接着テープ２１によってキーシート１９が貼り付けられている。この両面接着テープ２１は、スペーサの役割を兼ね備えたものであり、回路基板２０の上面の各固定接点に対応する個所に開口部２１ａがそれぞれ設けられ、これら開口部２１ａを除いて回路基板２０の上面に設けられると共に、本体ケース２の周縁部の上面に設けられた取付凹部２ｂ内にも設けられ、これにより本体ケース２の上面のほぼ全域に亘ってキーシート１９を貼り付けて、本体ケース２とキーシート１９との接合部分の防水性を図るように構成されている。
【００１６】
また、各キー釦１８は、キーシート１９の各膨出部１９ａ内にそれぞれ設けられた可動接点（図示せず）が両面接着テープ２１の各開口部２１ａを通して回路基板２０上の各固定接点に接離可能に離間対向し、この状態でキーシート１９の膨出部１９ａが外部から押されて弾性変形すると、この弾性変形に応じて膨出部１９ａ内の可動接点が回路基板２０上の固定接点に接触して導通し、これにより防水性を保った状態で各キー信号を出力するように構成されている。
【００１７】
このようなリモートコントローラでは、機器本体１が防水構造になっているので、例えばテレビなどの機器を浴室に配置し、この浴室内でも良好に使用することができる。すなわち、機器本体１の本体ケース２と操作部３との接合部分、電池蓋４、および赤外線発光部５がそれぞれ水密性を確保した防水構造になっているので、水滴や湯気などの浸入を防いで、テレビなどの機器を遠隔操作して動かすことができる。このときには、赤外線発光部５をテレビなどの機器に向けて操作部３の各キー釦１８を操作すると、その操作に応じて赤外線発光部５の赤外線発光素子１４の発光が制御され、この制御された赤外線信号に応じてテレビなどの機器を遠隔操作により動かすことができる。
【００１８】
ところで、このようなリモートコントローラを使用中に誤って浴槽などの水中に落した場合には、機器本体１の本体ケース２の内部に、その機器本体１を水面に浮かせる程度の空間部８が形成されているので、図８に示すように、機器本体１が浴槽の底に沈むことがなく、機器本体１を水面に浮かせることができる。このときには、本体ケース２の下部側６が船底形状に形成され、本体ケース２の上部側７がその下部側６よりも外周側に突出する平板形状に形成されているので、本体ケース２の下部側６が水面下に位置して本体ケース２の上部側７が水面上に位置しやすくなり、この状態で浮かせることができる。このため、機器本体１に加わる水圧を大幅に軽減することができるので、水密性の高い高圧防水構造を採用しなくても、簡易型の防水構造で十分な防水性を確保することができる。
【００１９】
この場合、本体ケース２の船底形状の底部には、錘１５が設けられているので、機器本体１をどのような状態で浴槽などの水中に落しても、本体ケース２の底部に設けられた錘１５によって、確実に本体ケース２の底部を水面下に位置させることができると共に、本体ケース２の上部側７を水面上に位置させることができ、この状態で機器本体１を水面に安定させて浮かせることができる。このときには、本体ケース２の上部側７における外周部に設けられた凹部９が空気溜りになり、この凹部９内に溜った空気によって機器本体１に浮力を与えることができるので、より一層、機器本体１を水面上に浮かさせることができる。
【００２０】
また、このように機器本体１が水面に浮いた状態のときには、本体ケース２の上面を確実に水面上に露出させることができるので、この本体ケース２の上面に設けられた操作部３を良好に操作することができると共に、本体ケース２の上面とこの上面に設けられた操作部３のキーシート１９との接合部分が水面よりも上に位置するので、本体ケース２とキーシート１９との接合部分から水が浸入するのを容易に防ぐことができ、このため本体ケース２とキーシート１９との接合部分を高圧防水構造にしなくても、簡易型の防水構造で十分に防水性を確保することができる。
【００２１】
このように、このリモートコントローラによれば、誤って機器本体１を浴槽などの水中に落しても、本体ケース２の下部側６を水中に位置させて本体ケース２の上部側７を水面上に位置させた状態で機器本体１を水面に浮かせることができるので、浴槽の水温の高低差に応じて本体ケース２内の空間部８の空気が膨張したり収縮したりする変化を受けにくくすることができ、これによっても水密性の高い高圧防水構造を採用しなくても、防水性を確保することができる。このため、操作部３の防水構造がキーシート１９を両面接着テープ２１で本体ケース２の上面の凹部２ｂに接着しただけの防水構造でも、また電池蓋４の防水構造が防水リング１２による防水構造でも、あるいは赤外線発光部５の防水構造が素子カバー１３を接着などで嵌合させただけの防水構造でも、浴槽の水温の変化による影響を受けにくいので、簡易型の防水構造であっても十分に防水性を確保することができる。
【００２２】
なお、上記実施形態では、本体ケース２の上部側７における外周部の下面に空気溜め用の凹部９を設けた場合について述べたが、これに限らず、例えば図９〜図１１に示すように、本体ケース２の上部側７における赤外線発光部５側を除く周縁部に、本体ケース２の底部と同じ高さの側壁２５を本体ケース２の周囲に沿って連続させて形成し、この側壁２５と本体ケース２の下部側の側面との間に空気溜め用の凹部２６を形成した構造であっても良い。このように構成すれば、上述した実施形態の空気溜め用の凹部９よりも容積の大きい凹部２６を形成することができるので、上述した実施形態よりも、大きな浮力を機器本体１に与えることができ、より一層、機器本体１を水面上に浮かせることができる。
【００２３】
また、上記実施形態では、電子機器として、リモートコントローラに適用した場合について述べたが、これに限らず、携帯型のラジオや携帯型のテレビ、または携帯電話機などの電子機器にも広く適用することができる。
【００２４】
【発明の効果】
以上説明したように、この発明によれば、防水構造の機器本体を備えた電子機器において、機器本体の下部側を船底形状に形成すると共に、機器本体の上部側を機器本体の下部側よりも外周側に突出する平板形状に形成し、機器本体の内部に機器本体が水面に浮かぶ程度の空間部を形成したので、誤って機器本体を浴槽などの水中に落しても、機器本体の内部に形成された空間部によって、機器本体が水中に沈むことがなく、機器本体を水面に浮かせることができると共に、機器本体の下部側が船底形状に形成され、機器本体の上部側が機器本体の下部側よりも外周側に突出する平板形状に形成されていることにより、機器本体の下部側が水面下に位置して機器本体の上部側が水面上に位置しやすくなり、この状態で安定させて水面に浮かせることができ、このため機器本体に加わる水圧を大幅に軽減することができるので、水密性の高い高圧防水構造を採用しなくても、簡易型の防水構造で十分な防水性を確保することができる。
【００２５】
この場合、機器本体の船底形状の下部側に位置する底部に錘を設けることにより、機器本体をどのような状態で浴槽などの水中に落しても、機器本体の底部に設けられた錘によって、確実に機器本体の底部を水面下に位置させることができると共に、機器本体の上部側を水面上に位置させることができ、この状態で機器本体を水面に安定させて浮かせることができる。このため、例えば機器本体の上面に操作部を設ければ、機器本体を水面に浮かせた状態で、機器本体の上面が確実に水面上に露出するので、操作部を良好に操作することができる。
【００２６】
また、機器本体の上部側における機器本体の下部側よりも外周側に突出した外周部に、機器本体の下側に向けて開放された凹部を設けることにより、機器本体の底部が水面下に位置して機器本体の上部側が水面上に位置した状態で機器本体が水面に浮いたときに、機器本体の上部側における外周部に設けられた凹部が空気溜りになり、この凹部内に溜った空気によって機器本体に浮力を与えることができ、このため、より一層、機器本体を水面上に浮かさせることができる。
さらに、機器本体が上側部材と下側部材とを備え、機器本体が水面に浮いた状態のときに、上部側部材と下側部材との接合部分が水面よりも上に位置することにより、機器本体の接合部分から水が浸入するのを容易に防ぐことができ、このため機器本体の上側部材と下側部材との接合部分を高圧防水構造にしなくても、簡易型の防水構造で十分に防水性を確保できる。
【図面の簡単な説明】
【図１】この発明をリモートコントローラに適用した一実施形態の平面図。
【図２】図１の手前側から見た側面図。
【図３】図２の右側面図。
【図４】図２の左側面図。
【図５】図２の下面側から見て一部を破断した底面図。
【図６】図１のＡ−Ａ矢視における拡大断面図。
【図７】図１のＢ−Ｂ矢視における拡大断面図。
【図８】図６の機器本体が水中に浮いた状態を示した断面図。
【図９】この発明をリモートコントローラに適用した変形例を示した平面図。
【図１０】図９のＣ−Ｃ矢視における拡大断面図。
【図１１】図９のＤ−Ｄ矢視における拡大断面図。
【符号の説明】
１　機器本体
２　本体ケース
３　操作部
４　電池蓋
５　赤外線発光部
６　本体ケースの下部側
７　本体ケースの上部側
８　本体ケース内の空間部
９、２６　空気溜め用の凹部
１１　電池収納部
１２　防水リング
１３　素子カバー
１４　赤外線発光素子
１５　錘
１８　キー釦
１９　キーシート
２０　回路基板
２１　両面接着テープ
【図１】
2004087995.tif 000003
【図２】
2004087995.tif 000004
【図３】
2004087995.tif 000005
【図４】
2004087995.tif 000006
【図５】
2004087995.tif 000007
【図６】
2004087995.tif 000008
【図７】
2004087995.tif 000009
【図８】
2004087995.tif 000010
【図９】
2004087995.tif 000011
【図１０】
2004087995.tif 000012
【図１１】
2004087995.tif 000013